(57)【要約】      （修正有）【課題】高線速対応追記型ＤＶＤ媒体の記録速度を最高線速に切り替える際のつなぎの簡易パワー制御法の提供。【解決手段】有機色素系の記録層にウォブルを有し最高線速記録条件と線速記録条件が記録された追記型ＤＶＤ媒体への記録で、最高線速記録に切替える半径位置で、試し書きで最適化した最高線速記録パワーＰｏと、記録された最高線速記録パワーＰｉとを比較し、Ｐｏ＞Ｐｉでは（Ｐｏ＋Ｐｉ）／２＋（Ｐｏ−Ｐｉ）２／Ｐｉを、Ｐｏ≦ＰｉではＰｉを記録開始パワーとし、更にパワーをＷ０＞Ｗ１＞Ｗ２として、最短長マークはＷ０で、２番目に短いマークはＷ０又はＷ１又はＷ２のパルスの前／後端部を一定時間Ｗ０又はＷ１として、３番目以降の短いマークはＷ２の前／後端部を一定時間Ｗ０又はＷ１とした１つのパルス光で記録し、全てのパルスの後端部以降に照射光量を一定時間０．１ｍＷ以下でクーリングパルスを照射する。【選択図】  図４
2005243208.tif 000002
【特許請求の範囲】
【請求項１】
ウォブルを設けた案内溝を有する円盤状基板上に、有機色素を主成分とする記録層を有し、基板の所定の位置に、ＣＬＶ最高線速記録条件と最高線速以外のＣＬＶ線速記録条件が、予めコード化して記録されている追記型ＤＶＤ媒体の記録再生に当り、最内周では、最高線速以外のＣＬＶ線速条件で記録を始め、最高線速での回転が可能になる半径位置から最高線速での記録に切り替える際に、一旦、最外周のパワーキャリブレーションエリアで試し書きを行って最適化した最高線速での最適記録パワーＰｏと、予め基板にコード化して記録されている最高線速での最適記録パワーＰｉとを比較し、Ｐｏ＞Ｐｉの場合には、式「（Ｐｏ＋Ｐｉ）／２＋（Ｐｏ−Ｐｉ）２／Ｐｉ」で求められる記録パワーを最高線速での記録開始記録パワーとし、Ｐｏ≦Ｐｉの場合には、Ｐｉを最高線速での記録開始記録パワーとし、更に、最短長マークは常にパワーＷ０の１つのパルス光で記録し、２番目に短いマークは、パワーＷ０、或いはＷ０よりも低いパワーＷ１、或いはＷ１よりも低いパワーＷ２をベースとしパルス前端部及び／又は後端部が一定時間パワーＷ０又はＷ１に高出力化された１つのパルス光で記録し、短い方から３番目以降のマークは、パワーＷ２をベースとしパルス前端部及び／又は後端部が一定時間パワーＷ０又はＷ１に高出力化された１つのパルス光で記録すると共に、マーク記録時に、全てのマークの上記パルスの後端部以降にクーリングパルスを照射し、その照射光量を、一定時間０．１ｍＷ以下にすることを特徴とする記録再生方法。
【請求項２】
パルス後端部以降のクーリングパルスの照射時間を、再短長スペースの１／６〜６／６の長さにすることを特徴とする請求項１記載の記録再生方法。
【請求項３】
直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定し、かつ、最短長マークを形成する記録パルスの加熱パルス幅を、該最短長マークの直前のスペース長が最短長であるか否かで区別し、直前のスペース長が最短であるマークの加熱パルス幅を、直前のスペース長が最短でないマークの加熱パルス幅よりも短く設定することを特徴とする請求項１又は２記載の記録再生方法。
【請求項４】
前記ウォブルは、基本クロック周期をＴとして４Ｔ〜９６Ｔ相当の周波数とすることを特徴とする請求項１〜３の何れかに記載の記録再生方法。
【請求項５】
記録光の波長が６００〜７２０ｎｍであることを特徴とする請求項１〜４の何れかに記載の記録再生方法。
【請求項６】
記録光及び再生光の波長±５ｎｍの波長域の光に対して、記録層単層の屈折率ｎが１．５≦ｎ≦３．０であり、消衰係数ｋが０．０２≦ｋ≦０．２であることを特徴とする請求項１〜５の何れかに記載の記録再生方法。
【請求項７】
追記型ＤＶＤ媒体が、基板上に、記録層以外の構成層として、反射層、保護層、接着層、保護基板、基板面ハードコート層から選ばれる少なくとも一つの層を有することを特徴とする請求項１〜６の何れかに記載の記録再生方法。
【請求項８】
少なくとも一方の基板がウォブルを設けた案内溝を有する２枚の基板を貼り合わせて両面構成の記録媒体とするための接着層が該基板間に設けられ、かつ、該接着層に用いられる接着剤が紫外線硬化樹脂であることを特徴とする請求項７記載の記録再生方法。
【請求項９】
基板の案内溝にウォブルを有し、所定の位置に、ＣＬＶ最高線速記録条件と最高線速以外のＣＬＶ線速記録条件が予めコード化して記録されている色素系追記型ＤＶＤ媒体の記録再生に当り、最内周では、最高線速以外のＣＬＶ線速条件で記録を始め、最高線速での回転が可能になる半径位置から最高線速での記録に切り替える際に、一旦、最外周のパワーキャリブレーションエリアで試し書きを行って最適化した最高線速での最適記録パワーＰｏと、予め媒体にコード化して記録されている最高線速での最適記録パワーＰｉとを比較し、Ｐｏ＞Ｐｉの場合には、式「（Ｐｏ＋Ｐｉ）／２＋（Ｐｏ−Ｐｉ）２／Ｐｉ」で求められる記録パワーを最高線速での記録開始記録パワーとし、Ｐｏ≦Ｐｉの場合には、Ｐｉを最高線速での記録開始記録パワーとし、更に、最短長マークは常にパワーＷ０の１つのパルス光で記録し、２番目に短いマークは、パワーＷ０、或いはＷ０よりも低いパワーＷ１、或いはＷ１よりも低いパワーＷ２をベースとしパルス前端部及び／又は後端部が一定時間パワーＷ０又はＷ１に高出力化された１つのパルス光で記録し、短い方から３番目以降のマークは、パワーＷ２をベースとしパルス前端部及び／又は後端部が一定時間パワーＷ０又はＷ１に高出力化された１つのパルス光で記録すると共に、マーク記録時に、全てのマークの上記パルスの後端部以降にクーリングパルスを照射し、その照射光量を、一定時間０．１ｍＷ以下にする機能を有することを特徴とする記録再生装置。
【請求項１０】
パルス後端部以降のクーリングパルスの照射時間を、再短長スペースの１／６〜６／６の長さにする機能を有することを特徴とする請求項９記載の記録再生装置。
【請求項１１】
直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定し、かつ、最短長マークを形成する記録パルスの加熱パルス幅を、該最短長マークの直前のスペース長が最短長であるか否かで区別し、直前のスペース長が最短であるマークの加熱パルス幅を、直前のスペース長が最短でないマークの加熱パルス幅よりも短く設定する機能を有することを特徴とする請求項９又は１０記載の記録再生装置。
【発明の詳細な説明】
【技術分野】
【０００１】
本発明は、光ビームを照射することにより記録層に透過率、反射率等の光学的な変化を生じさせて情報の記録、再生を行なうことができ、かつ追記が可能な色素系追記型ＤＶＤ媒体の記録再生方法及び装置に関するものである。
【背景技術】
【０００２】
現在、大容量光ディスクとして、ＤＶＤ±Ｒの開発が進められている。記録容量の向上の要素技術としては、記録ピット微小化のための記録材料開発、ＭＰＥＧ２に代表される画像圧縮技術の採用、記録ピット読み取り用半導体レーザの短波長化等の技術開発が必要である。
これまで赤色波長域の半導体レーザとしては、バーコードリーダや計測器用の６７０ｎｍ帯のＡｌＧａＩｎＰレーザダイオードが商品化されているのみであったが、光ディスクの高密度化に伴い、赤色レーザが本格的に光ストレージ市場で使用され始めた。ＤＶＤドライブの場合、光源として６３５ｎｍ帯と６５０ｎｍ帯の２つの波長帯のレーザダイオードを用いて規格化されている。一方、再生専用のＤＶＤ−ＲＯＭドライブは波長約６５０ｎｍで商品化されている。
【０００３】
一般的にヒートモードによってピット（マーク）が形成される色素系追記型ＤＶＤ媒体は、特定の記録速度において記録時のレーザ発光による記録パルス列のパルス幅と記録パワーが最適化され、異なった記録線速度では形成されるマークやスペースの状態が変化する。即ち、マークの形成に必要な先頭加熱パルスによる熱容量の不足が生じたり、最適な分解温度に対して到達する加熱温度が異なってマークの平均長がばらついたり、最適な加熱パルスのデューティ比が異なって均一なマーク幅が得られなくなりマーク長に応じて太りや細りが生じたりするため、ジッタ特性が悪化してしまう。
そこで、低線速から高線速記録まで対応している光記録媒体は、最低線速での最適記録条件から最高線速での最適記録条件までを、予めスタンパにコード化して記録しておき、そのスタンパから転写した基板を用いることで、各線速での記録の最適化を計っている。
【０００４】
しかしながら、高速化が進むにつれて、特にＣＬＶ記録においては最内周での回転が相当に早いため、最内周から一定半径位置までは最高線速での回転が不可能な場合がある。そこで、最内周では回転可能な回転数で記録を開始し、最高線速で記録可能な半径位置まで記録が行われた時点で、記録速度を最高線速へ切り替える。記録線速を切り替えれば、当然の事ながら記録ストラテジや記録パワーが最内周から使ってきたパラメーターとは異なるので、最高線速での最適条件で記録する事になる。しかし記録ストラテジはその媒体にコード化したパラメーターを用いることが出来るが、記録パワーに関してはその時点での記録環境によってコード化した最適記録パワーとずれたパワーが最適値となる事がしばしばある。例えば、書き込みドライブの庫内温度は、回転モーターの発熱、ＬＤ自体の発熱などにより、連続記録を一定時間行った後では書き始めよりも上昇する。庫内温度が上昇するとＬＤは長波長化するが、特に色素系記録媒体の感度は波長依存性があるので影響が大きく、コード化した最適記録パワーとのずれが生じ易い。ＬＤの波長の長波長化により最適記録パワーがずれる場合は、最適値が大きくなる方向へずれる場合が殆どである。
また、線速切り替え位置での記録パワー最適化のための試し書きは、データの連続性やデータ容量の減少から採用不可能である。
記録線速を切り替えずに等線速で記録を行う場合には、最内周のパワーキャリブレーションエリア（パワー測定領域）を使用してパワーの最適化を実施し、記録を開始することは言うまでもない。
【０００５】
一方、近年の光ディスクへのデータ書き込み速度の高速化に伴い、光ディスクへデータを書き込んでいる最中に、光ディスクへのデータの書き込み速度よりもホストコンピュータ等から転送されてくる書き込み用のデータの転送速度が遅くなってしまうことがある。このように、書き込むべきデータが無くなってしまう状態をいわゆるバッファアンダーランという。
そこで最近の光ディスク装置は、バッファアンダーランの発生により光ディスクを無駄にしないように、いわゆるバーンプルーフやジャストリンク等の名称で呼ばれる記録保護手段が設けられている場合が多い。このような記録保護手段によれば、バッファアンダーランが発生すると書き込みを中断してそのまましばらく待機する。そして中断後にデータの転送速度が速くなってきた場合、又はバッファメモリ内に充分に書込むべきデータが蓄積された場合には、中断を解除して再度書き込みを行なうようにしている。
このような記録保護手段を設けたことにより、バッファアンダーランが生じても光ディスクを無駄にしないようにすることができるようになった。
しかし、記録保護手段を採用した場合、データ書き込みを再開させるためには、中断したアドレスから確実にデータの書き込みが再開できるように、書き込み再開前に光ディスクの回転とデータ書き込みのタイミングとを同期させておく必要がある。具体的には、光ピックアップの位置を中断したアドレスよりも前に戻し、今まで書込んでいた速度と同じ速度で今までに書込んできたデータを読み出してＥＦＭ信号を得る。一方でデータを書き込む側のＥＦＭ信号をエンコーダ内部で発生させ、この２つの信号を合わせて同期をとるようにしている。
【０００６】
なお、色素を記録層に用いた光記録媒体の公知例としては、ポリメチン色素或いはポリメチン色素と光安定化材を記録材料として用いるもの、テトラアザポルフィリン（ポルフィラジン）色素又はシアニン色素＋アゾ金属キレート色素（塩形成色素）からなる層と反射層を記録層とするもの、ホルマザン（金属キレート）色素＋その他の色素を記録材料として用いるもの、ジピロメテン（金属キレート）色素＋その他の色素を記録材料として用いるものなどがあり、枚挙に暇がない。また、記録材料に色素を用いマルチパルス記録を行うものも多数知られているが、本発明者等の知る限り、本発明のような、色素系追記型ＤＶＤ媒体の記録速度を最高線速に切り替える際のつなぎのパワー制御法や高線速記録を行う際の記録波形に着目した文献は見当たらない。
【発明の開示】
【発明が解決しようとする課題】
【０００７】
本発明は、色素系追記型ＤＶＤ媒体に対して高線速記録を行う際に、良好な記録波形を得ることができる記録再生方法及び装置の提供を目的とする。特に高線速対応追記型ＤＶＤ媒体の記録速度を最高線速に切り替える際のつなぎの簡易パワー制御法の提供を目的とする。
また、本発明はＣＤ系媒体に比べて短波長に発振波長を有する半導体レーザを用いる追記型ＤＶＤシステムの新フォーマット方式であって、ＬＰＰ（ランドプリピット）方式と同様、データの書き足し部における未記録領域を無くす有効な方式、更には、ＤＶＤ−Ｒランドプリピット方式に比較して、スタンパ作製時に於ける微細なカット幅制御やＬＰＰ信号のデータ部への漏れ出しによるデータエラーが生じない優れた方式の提供を目的とする。
【課題を解決するための手段】
【０００８】
上記課題は、次の１）〜１１）の発明（以下、本発明１〜１１という）によって解決される。
１）  ウォブルを設けた案内溝を有する円盤状基板上に、有機色素を主成分とする記録層を有し、基板の所定の位置に、ＣＬＶ最高線速記録条件と最高線速以外のＣＬＶ線速記録条件が、予めコード化して記録されている追記型ＤＶＤ媒体の記録再生に当り、最内周では、最高線速以外のＣＬＶ線速条件で記録を始め、最高線速での回転が可能になる半径位置から最高線速での記録に切り替える際に、一旦、最外周のパワーキャリブレーションエリアで試し書きを行って最適化した最高線速での最適記録パワーＰｏと、予め基板にコード化して記録されている最高線速での最適記録パワーＰｉとを比較し、Ｐｏ＞Ｐｉの場合には、式「（Ｐｏ＋Ｐｉ）／２＋（Ｐｏ−Ｐｉ）２／Ｐｉ」で求められる記録パワーを最高線速での記録開始記録パワーとし、Ｐｏ≦Ｐｉの場合には、Ｐｉを最高線速での記録開始記録パワーとし、更に、最短長マークは常にパワーＷ０の１つのパルス光で記録し、２番目に短いマークは、パワーＷ０、或いはＷ０よりも低いパワーＷ１、或いはＷ１よりも低いパワーＷ２をベースとしパルス前端部及び／又は後端部が一定時間パワーＷ０又はＷ１に高出力化された１つのパルス光で記録し、短い方から３番目以降のマークは、パワーＷ２をベースとしパルス前端部及び／又は後端部が一定時間パワーＷ０又はＷ１に高出力化された１つのパルス光で記録すると共に、マーク記録時に、全てのマークの上記パルスの後端部以降にクーリングパルスを照射し、その照射光量を、一定時間０．１ｍＷ以下にすることを特徴とする記録再生方法。
２）  パルス後端部以降のクーリングパルスの照射時間を、再短長スペースの１／６〜６／６の長さにすることを特徴とする１）記載の記録再生方法。
３）  直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定し、かつ、最短長マークを形成する記録パルスの加熱パルス幅を、該最短長マークの直前のスペース長が最短長であるか否かで区別し、直前のスペース長が最短であるマークの加熱パルス幅を、直前のスペース長が最短でないマークの加熱パルス幅よりも短く設定することを特徴とする１）又は２）記載の記録再生方法。
４）  前記ウォブルは、基本クロック周期をＴとして４Ｔ〜９６Ｔ相当の周波数とすることを特徴とする１）〜３）の何れかに記載の記録再生方法。
５）  記録光の波長が６００〜７２０ｎｍであることを特徴とする１）〜４）の何れかに記載の記録再生方法。
６）  記録光及び再生光の波長±５ｎｍの波長域の光に対して、記録層単層の屈折率ｎが１．５≦ｎ≦３．０であり、消衰係数ｋが０．０２≦ｋ≦０．２であることを特徴とする１）〜５）の何れかに記載の記録再生方法。
７）  追記型ＤＶＤ媒体が、基板上に、記録層以外の構成層として、反射層、保護層、接着層、保護基板、基板面ハードコート層から選ばれる少なくとも一つの層を有することを特徴とする１）〜６）の何れかに記載の記録再生方法。
８）  少なくとも一方の基板がウォブルを設けた案内溝を有する２枚の基板を貼り合わせて両面構成の記録媒体とするための接着層が該基板間に設けられ、かつ、該接着層に用いられる接着剤が紫外線硬化樹脂であることを特徴とする７）記載の記録再生方法。
９）  基板の案内溝にウォブルを有し、所定の位置に、ＣＬＶ最高線速記録条件と最高線速以外のＣＬＶ線速記録条件が予めコード化して記録されている色素系追記型ＤＶＤ媒体の記録再生に当り、最内周では、最高線速以外のＣＬＶ線速条件で記録を始め、最高線速での回転が可能になる半径位置から最高線速での記録に切り替える際に、一旦、最外周のパワーキャリブレーションエリアで試し書きを行って最適化した最高線速での最適記録パワーＰｏと、予め媒体にコード化して記録されている最高線速での最適記録パワーＰｉとを比較し、Ｐｏ＞Ｐｉの場合には、式「（Ｐｏ＋Ｐｉ）／２＋（Ｐｏ−Ｐｉ）２／Ｐｉ」で求められる記録パワーを最高線速での記録開始記録パワーとし、Ｐｏ≦Ｐｉの場合には、Ｐｉを最高線速での記録開始記録パワーとし、更に、最短長マークは常にパワーＷ０の１つのパルス光で記録し、２番目に短いマークは、パワーＷ０、或いはＷ０よりも低いパワーＷ１、或いはＷ１よりも低いパワーＷ２をベースとしパルス前端部及び／又は後端部が一定時間パワーＷ０又はＷ１に高出力化された１つのパルス光で記録し、短い方から３番目以降のマークは、パワーＷ２をベースとしパルス前端部及び／又は後端部が一定時間パワーＷ０又はＷ１に高出力化された１つのパルス光で記録すると共に、マーク記録時に、全てのマークの上記パルスの後端部以降にクーリングパルスを照射し、その照射光量を、一定時間０．１ｍＷ以下にする機能を有することを特徴とする記録再生装置。
１０）  パルス後端部以降のクーリングパルスの照射時間を、再短長スペースの１／６〜６／６の長さにする機能を有することを特徴とする９）記載の記録再生装置。
１１）  直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定し、かつ、最短長マークを形成する記録パルスの加熱パルス幅を、該最短長マークの直前のスペース長が最短長であるか否かで区別し、直前のスペース長が最短であるマークの加熱パルス幅を、直前のスペース長が最短でないマークの加熱パルス幅よりも短く設定する機能を有することを特徴とする９）又は１０）記載の記録再生装置。
【０００９】
以下、上記本発明について詳しく説明する。
前述したように、基板にコード化して記録されている最高線速での最適記録パワーＰｉと、線速切り替え時に最外周のパワーキャリブレーションエリアで試し書きを行って最適化した最高線速での最適記録パワーＰｏとは、しばしばずれを生じる。実際には、殆どの場合、書き込みドライブの庫内温度が上昇し、ＬＤの特性上、その波長は長波長化する。一方、色素系媒体は記録波長付近に吸収を有しているため特に記録波長が長波長化していると最適記録パワーは上昇してしまう。即ち、Ｐｏ＞Ｐｉという関係になる。
そこで、本発明１のように、式「（Ｐｏ＋Ｐｉ）／２＋（Ｐｏ−Ｐｉ）２／Ｐｉ」で求められる記録パワーを線速切り替え時の記録開始記録パワーとし、その後はランニングＯＰＣ（オプティマムパワーコントロール）で記録パワー最適化を行えば、本発明の目的である最高記録線速度での記録品質を良好に保つことができる。
また、Ｐｏ≦Ｐｉの場合は、かなり希なケースであって、ＰｏとＰｉのパワーのずれも小さいので、予め基板にコード化して記録されたパワーＰｉで記録を開始すれば、やはり記録品質を良好に保つことができる。
【００１０】
ここで、Ｐｏ＞Ｐｉの場合の、式「（Ｐｏ＋Ｐｉ）／２＋（Ｐｏ−Ｐｉ）２／Ｐｉ」で求められる記録パワーを最高線速記録開始記録パワーに設定する理由を説明する。
式中の１項目は単にＰｏとＰｉの平均値であるが、２項目はパワーの差の２乗をコード化して記録されたパワーで規格化した項となっており、これを平均値に加えることで最適記録パワーとしている。通常ディスク状の光記録媒体は、外周において内周や中周より機械特性が劣る場合が多く、内周や中周よりも高い記録パワーを要する場合が多い。そこで最外周で求めた記録パワーを中周にそのまま採用するとオーバーパワー気味で記録を開始することになる確率が高く、一方、ＰｏとＰｉの単なる平均値ではアンダーパワーになる可能性がある。従って上記の式の如く平均値に２項目を加えることで記録線速切り替え時の最適記録パワー化が実現可能となる。
【００１１】
また、基本的な最適パルス照射パターンは次の通りである。
最短長マークは高線速記録ではピットを形成し難いため、その記録パルスの光量は、常に最も高パワーである必要があり、最短長マークのパルスパワーをＷ０とし、最短長マーク以外のマークのベースパワー（上乗せ無しパワー）をＷ２、Ｗ２に上乗せしたパワーをＷ１として、Ｗ０／Ｗ１＝１．０１〜２．００の範囲が好ましく、更に好ましくは１．０２〜１．５０の範囲である。一方、Ｗ１／Ｗ２は１．０５〜３．００の範囲が好ましく、更に好ましくは１．０８〜２．００の範囲である。
最短長マーク以外のマークについて、記録パルスの先端部及び／又は後端部の、上乗せパワーを加えて高出力化する長さ或いはＷ０まで高出力化する長さとしては、基本クロック周期Ｔの０．５倍〜２倍、即ち、０．５Ｔ〜２Ｔの範囲が特に好ましく、０．２Ｔ〜２．５Ｔの範囲でも実施可能である。
更に、マーク記録時に、前記パルス後端部以降のクーリングパルスの照射光量を、一定時間０．１ｍＷ以下にすることにより、一層良好な記録品質で記録することができ、また高周波ウオブルで記録位置検出を実施すれば、つなぎ目のロスがなく記録できる。
【００１２】
上記パルス照射パターンは、ＣＤ系媒体に比べて短波長に発振波長を有する半導体レーザを用いる追記型ＤＶＤシステムの新フォーマット方式であって、ＬＰＰ方式と同様、データの書き足し部における未記録領域を無くす有効な方式であり、更には、ＤＶＤ−Ｒランドプリピット方式に比較して、スタンパ作製時に於ける微細なカット幅制御やＬＰＰ信号のデータ部への漏れ出しによるデータエラーが生じない優れた方式である。
本発明２は各パルスの後端部以降に設けるクーリングパルスの好ましい照射条件を規定したものであり、クーリングパルスの照射時間は、最短長スペースの１／６〜６／６の長さとすることが好ましく、この範囲を外れるとクーリングパルスの効果を得難くなる。
上記のようなパルス波形を選択することにより、特に高線速記録において低ジッタで良好な記録が可能となる。
【００１３】
上記本発明を実施する好ましい態様としては、前述したバッファアンダーランを解消する技術を応用し、記録線速が最高線速に切り替わる予定アドレスに来たら、記録を一時中断する。そこで、最高線速に切り替えた直後に記録すべき書き始めのデータは一時バッファメモリ（図１１の２２）に格納する（ここで、記録線速が切り替わる予定のアドレスは最高記録線速で回転可能となるアドレスより微小量外周に設定しておく必要がある。）。
同時に、ピックアップ（図１１の１３）を最外周までエンコーダー（図１１の２０）により移動させ、次いで、アドレス検出を実施して、ユーザー使用領域より外周に設けられたパワーキャリブレーションエリアを検出し、該パワーキャリブレーションエリアで記録を中断する線速より早い回転数、即ち、最高線速回転数に制御して回転を実施する。
そして、回転数、記録周波数、パワーキャリブレーションエリアが所望の条件となった時点で、試し書き（ＯＰＣ）を実施し、その時点での最高線速における最外周での最適記録パワーＰｏを求める。
本発明では予め基板にコード化して記録されている最高線速での最適記録パワーＰｉと該Ｐｏを比較し、前述したようにＰｏ＞Ｐｉの場合には式「（Ｐｏ＋Ｐｉ）／２＋（Ｐｏ−Ｐｉ）２／Ｐｉ」で求められる記録パワーを最高線速での記録開始パワーとし、Ｐｏ≦Ｐｉの場合にはＰｉを最高線速での記録開始パワーとする。これにより最高記録線速での記録パワーが求まる。対象媒体の記録可能な最高線速や各線速での最適記録パワーや記録波形を予め読み取り記憶しておくことは言うまでもない。
【００１４】
更に、前述の従来技術を用いて、エンコーダーによりデータ書き込みを再開させるべき付近のアドレスへピックアップを移動させ、次いでディスクの回転とデータ書き込みのタイミングとを書き込み再開前に同期させて最高線速での記録を再開させることになる。
上述のごとく記録すべきデータはバッファメモリに格納してあるため、最高線速での記録が可能となり、光ピックアップの位置を中断したアドレスよりも前に戻し、最高線速でデータを読み出してＥＦＭ信号を得る。一方でデータを書き込む側のＥＦＭ信号をエンコーダ内部で発生させ、この２つの信号を合わせて同期を取ることで最高線速での記録が開始できる。加えて、ウォブルの周波数が４Ｔ〜９６Ｔ程度まで高周波数であれば一層容易に位相検出が可能となり、記録の継ぎ目を良好に形成させることができる。
上記本発明の記録再生方法を採用すれば、後述する実施例に示すように、最高線速での記録開始の際の最適記録パワー制御を極めて有効に行うことができる。
また、例えば線速切り替え前の記録線速を２１ｍ／ｓとし、線速切り替え後の最高記録線速を２８ｍ／ｓとした場合に本発明の記録再生方法は高品位な記録を実現するに当り極めて有用である。
【００１５】
色素系の光記録媒体は、高線速化を実現しようとすると記録パワーを大きくしなければならず、その結果マーク間の熱干渉が一層起き易くなる。そこで、マークを形成する際のマークエッジ切れを良好にするために本発明が有効となる。
従来例のまま記録を行うと、最も低いジッタが得られるパワーとエラーが最小となるパワーにズレが生じてパワーマージンが減少する。具体的には高線速記録においては最も低いジッタが得られる記録パワーでは記録信号のアシンメトリがマイナス側になる傾向が現れ、エラー測定では如何に低ジッタといえどもエラーが出易くなってしまう。例えば、アシンメトリがマイナスで低ジッタ、低エラーであっても、媒体、ドライブの経年変化等で、アシンメトリがゼロ付近で記録された媒体よりはエラーが出易い。本発明はこの低アシンメトリ問題を解決すべくなされたものである。
【００１６】
また、１マークを複数パルス光（マルチパルス）で書き込む場合においても、パルス光を最適化すれば、上述の低アシンメトリ問題を解決することは可能であるが、複数のパルス光を用いるため、パルス光の立ち上がり、立ち下がり時間にばらつきを生じた際に記録品質自体がばらつく可能性がある。このばらつきは高線速記録になるほど発生し易くなることは言うまでもない。
これに対し、本発明では１マーク当り１パルス光で記録するため、該マルチパルス光記録に比べて記録品質のばらつきが少ない記録方法を提供できる利点がある。また、書き込み中のアドレス検出においては、マルチパルス法よりも単純な記録波形であるため記録時の光量を平均化し易く、スペース部の反射光量だけでなくマーク部の光量も平均化してアドレス検出することが可能となり、パルスの後端に０．１ｍＷ以下のクーリングパルスを設けてもアドレス検出を比較的容易に実施できる利点を有する。
【００１７】
また、熱干渉の影響を考慮して、直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定する（一例として後述する表１の、直前のスペース長が３Ｔで記録マーク長が３Ｔ、４Ｔ〜１４Ｔの場合参照）ことで、より低ジッタな記録が実現できる。
更に、最短長マークを形成する記録パルスの加熱パルス幅を、該最短長マークの直前のスペース長が最短長であるか否かで区別し、直前のスペース長が最短であるマークの加熱パルス幅を、直前のスペース長が最短でないマークの加熱パルス幅よりも短く設定する（一例として後述する表１の、記録マーク長が３Ｔでスペース長が３Ｔ、４Ｔ〜１４Ｔの場合参照）ことで、一層低ジッタな記録が実現できる。
【００１８】
上記加熱パルス幅を短く設定するための補正量（長さ）は、０．０２Ｔ〜０．１０Ｔの範囲が特に好ましい。形成されるマークの直前のスペース長が最短長である場合に、そのマークを形成するパルスのパルス幅が他のマークの場合と略等しいと、熱干渉により該直前のスペース長が短くなり、ジッタが若干悪化する。そこで、このような場合のみ、マークを記録するための加熱パルス幅を短くすると効果がある。更にパルス幅を短くしたい場合は加熱パルスの前エッジを短くすることが効果的なのは言うまでもない。
また、形成されるマークの直前のスペース長が最短長であるとき、そのマークを形成するパルスの加熱パルス幅が０．１０Ｔよりも短いと、マーク長自身が短くなり過ぎるので好ましくない。
最短長マークの加熱パルス幅を他のマークの場合よりも長く設定する際の補正量（長さ）は、０．０５Ｔ〜０．２５Ｔが好ましい。特に記録線速度が大きくなると最短長マークが形成し難くなるため、上記の範囲で補正して最短長マークのパルス幅を長くする。
【００１９】
加熱パルス幅の補正量の具体例を下記表１に示す。
【表１】
2005243208.tif 000003
【００２０】
次に、記録層に必要な項目として光学特性が挙げられる。
光学特性としては、記録再生波長近傍の長波長近傍の波長域の光、即ち記録光及び再生光の波長±５ｎｍの波長域の光に対する記録層単層の屈折率ｎが１．５≦ｎ≦３．０であり、消衰係数ｋが０．０２≦ｋ≦０．２の範囲にあることが好ましい。ｎが１．５未満の場合には、十分な光学的変化を得難く記録変調度が低くなるため好ましくなく、ｎが３．０を越えると、波長依存性が高くなり過ぎ、記録再生波長領域であってもエラーとなってしまうため好ましくない。また、ｋが０．０２未満の場合には、記録感度が悪くなるため好ましくなく、ｋが０．２を越えると、５０％以上の反射率を得ることが困難となるので好ましくない。
なお、ＤＶＤは、再生専用機では６５０ｎｍ付近で規格化されているが、記録型媒体の記録光の波長はオーサリング専用媒体の６３５ｎｍの他に、一般用途として６５０〜６６０ｎｍで規格化されている。しかしながら、これらの波長はあくまで中心波長であり、ＬＤの製造のバラツキで短波長側、長波長側に振れる。またＬＤは、その特性上、一般的に温度が上昇すると波長が長波長側にシフトする。本発明は上記波長域を含む６００〜７２０ｎｍの記録波長で実施可能な方法である。
【００２１】
次に、基板に設ける蛇行した案内溝のウォブル特性について述べるが、ウォブル周波数を特定するためのＴは基本クロック周期であり、ＤＶＤ（４．７ＧＢ）媒体であれば、約０．１３３μｍ、時間にして約３８ｎｓｅｃ．である。
通常、ウォブルの周波数帯としては１５０Ｔ〜４００Ｔ相当が用いられているが、この周波数帯は、周波数変調にしろ位相変調にしろデータの書き足しをする場合にウォブルの周波数が低すぎて、前データと書き足しデータとの間がかなり空いてしまい高密度記録には向かない。これに対しＤＶＤ−ＲではＬＰＰを設け、このＬＰＰ信号によりデータの書き込む位置を制御している。
しかしながら、ＬＰＰ方式ではＬＰＰの信号振幅が小さ過ぎるとＬＰＰが良好に読み出せず、逆にＬＰＰが大き過ぎると今度はＬＰＰ信号自体が書き込みデータへ漏れ込んでデータエラーが多発するという不具合が生じるため、ＬＰＰには、０．１６≦ＬＰＰｂ≦０．３２、好ましくは０．１８≦ＬＰＰｂ≦０．２６という制約が生じ、スタンパ作成の際、ランドのカット幅を微細に制御しなくてはならない。
これに対し、高周波ウォブルにすればＬＰＰは必要なくなり、ウォブルを変調して同期をとるため、ＬＰＰ方式の様にデータエラーが多発するような事態には至らない。本発明４で規定するように、ウォブルの好ましい周波数は４Ｔ〜９６Ｔである。４Ｔより小さいと高周波数すぎて検出し難くなり、回転制御やアドレス検知信頼性の点でも問題がある。一方、９６Ｔより大きくなると周波数が低すぎて、データを追記書きする際の継ぎ目に間隔が開きすぎ、容量の低下やデータ処理速度低下等の問題を生じる。
【００２２】
本発明が対象とするＤＶＤ媒体のウォブルの振幅は、適当なフィルター、例えば４ＭＨｚ、３０ｋＨｚのハイ、ロウパスフィルターを通した信号のウォブル振幅（Ｗｏ）と、適当なフィルター、例えば３０ｋＨｚのフィルターを通したプシュプル信号（ＰＰ）の比Ｗｏ／ＰＰが、０．１≦Ｗｏ／ＰＰ≦０．４を満足するようなものであれば、本発明の目的であるウォブルでの同期合わせは容易であり、更に好ましくは０．１５≦Ｗｏ／ＰＰ≦０．３０の範囲である。Ｗｏ／ＰＰの値が０．１未満では同期をとるのに不十分な信号強度であり、０．４を越えるとデータ部エラーが増えてくる傾向にある。但し、ＬＰＰ方式に比べ、ＬＰＰが大きな媒体のデータエラー発生への影響度は小さくウォブル振幅の増加に伴うデータエラーは緩やかである。
更にスタンパを作成する際、ＬＰＰ方式のＬＰＰカット幅を前述した０．１６〜０．３２の範囲内にするには高度なカット幅制御技術を必要とするが、高周波ウォブル方式においては高周波発生源とウォブルの振り量の大きさ（ウォブル振り量を制御する回路で振り量は任意に再現性よく作成できる）を管理しさえすれば目的が達成されるため、スタンパの歩留まりや、媒体の歩留まりを飛躍的に向上させることができる。
【００２３】
また、上記のフォーマットを有する基板の溝形状としては、有機色素を用いて溶剤塗工法により記録層を形成する場合を例にとると、好ましい溝深さは１０００〜２５００Åであり、更に好ましくは１５００〜２０００Åである。溝深さが１０００Å未満ではプシュプル信号が充分にとれずトラッキング制御ができない。また、２５００Åを越えると基板成形の際に転写性が甘くなるため好ましくない。
更に、色素記録層を設けた場合の色素溝深さはウォブル周波数をｍＴ（ｍは自然数）とし、色素溝深さをｄ１とした時に１２００≦ｄ１×ｍ≦１６００００の範囲にあることが好ましい。ｄ１×ｍが１２００を下回ると充分な差信号が得られず、記録再生時に充分なトッラキングが行えないし、ｄ１×ｍが１６００００を上回ると逆に発振してしまうためやはりトラッキングには好ましくなく、更に前述した基板成形の転写限界に起因する基板溝深さの限界もあって、実質的には１６００００を上回ることは出来ない。
また、記録密度４〜５ＧＢの容量を確保するためにトラックピッチは０．６４〜０．８μｍ程度が必要である。溝幅に関しては、記録材料によって異なるが、ほぼ全ての有機材料において、半値幅０．１８〜０．４０μｍの幅で適用できる。
【００２４】
次に、本発明の対象となる色素系追記型ＤＶＤ媒体の層構成、各層の必要特性及び構成材料について説明する。
図１（ａ）〜（ｄ）は、通常の追記型光ディスクの層構成例であり、図２（ａ）〜（ｃ）は通常のＣＤ−Ｒ媒体の層構成例であり、図３（ａ）〜（ｃ）は追記型ＤＶＤ媒体の層構成例であるが、本発明の対象となる色素系追記型ＤＶＤ媒体の好ましい基本構成は、図３（ｂ）、（ｃ）に示すような、第１基板と第２基板（保護基板）を記録層を間にして接着剤で貼り合わせたものである。
記録層は有機色素層単層でも、反射率を高めるため有機色素層と反射層との積層でも良い。記録層と基板の間には下引き層又は保護層を設けてもよく、機能向上のため各層を２層以上の積層構造とした構成でも良い。最も普通に用いられるのは、第１基板／有機色素層／反射層／保護層／接着層／第２基板（保護基板）からなる構造である。
【００２５】
《基板》
基板は、基板側から記録再生を行なう場合には使用レーザに対して透明でなければならないが、記録層側から記録再生を行なう場合には透明である必要はない。基板材料としては、例えばポリエステル樹脂、アクリル樹脂、ポリアミド樹脂、ポリカーボネート樹脂、ポリオレフィン樹脂、フェノール樹脂、エポキシ樹脂、ポリイミド樹脂などのプラスチック、或いは、ガラス、セラミック、金属などを用いることができる。なお、基板の表面にはトラッキング用の案内溝や案内ピット、更にアドレス信号などのプリフォーマットが形成されていても良い。
【００２６】
《記録層》
記録層はレーザ光の照射により何らかの光学的変化を生じさせ、その変化により情報を記録するものであり、その材料としては有機色素を主成分とするものを用いる。ここで、主成分とは、記録再生に必要十分な量の有機色素を含有することを意味するが、通常は、必要に応じて適宜添加する少量の添加剤を除き、有機色素のみを用いる。
有機色素の例としては、アゾ系、ホルマザン系、ジピロメテン系、（ポリ）メチン系、ナフタロシアニン系、フタロシアニン系、テトラアザポルフィリン系、スクアリリウム系、クロコニウム系、ピリリウム系、ナフトキノン系、アントラキノン系（インダンスレン系）、キサンテン系、トリフェニルメタン系、アズレン系、テトラヒドロコリン系、フェナンスレン系、トリフェノチアジン系色素、或いはそれらの金属錯体などが挙げられる。中でも好ましいのは、アゾ（金属キレート）色素、ホルマザン（金属キレート）色素、スクアリリウム（金属キレート）色素、ジピロメテン（金属キレート）色素、トリメチンシアニン色素、テトラアザポルフィリン色素である。
上記色素は熱分解特性として、分解開始温度１００〜３６０℃のものが好ましく、特に１００〜３５０℃のものが好ましい。分解開始温度が３６０℃を越えると記録時のピット形成がうまく行われずジッタ特性が悪くなる。また、１００℃未満であるとディスクの保存安定性が悪化する。
【００２７】
上記色素には光学特性、記録感度、信号特性などの向上の目的で他の有機色素、金属、金属化合物を混合してもよく、或いは色素層と他の有機色素、金属、金属化合物からなる層を積層しても良い。
このような金属、金属化合物の例としては、Ｉｎ、Ｔｅ、Ｂｉ、Ｓｅ、Ｓｂ、Ｇｅ、Ｓｎ、Ａｌ、Ｂｅ、ＴｅＯ２、ＳｎＯ、Ａｓ、Ｃｄなどが挙げられ、それぞれを分散混合するか或いは積層して用いることができる。
更に、上記染料中に高分子材料、例えばアイオノマー樹脂、ポリアミド樹脂、ビニル系樹脂、天然高分子、シリコーン、液状ゴムなどの種々の材料、或いはシランカップリング剤などを分散混合しても良いし、特性改良の目的で安定剤（例えば遷移金属錯体）、分散剤、難燃剤、滑剤、帯電防止剤、界面活性剤、可塑剤などを一緒に用いることも出来る。
【００２８】
記録層の形成は、蒸着、スパッタリング、ＣＶＤ、溶剤塗布などの通常の手段によって行うことができる。塗布法を用いる場合には、上記染料などを有機溶剤に溶解し、スプレー、ローラーコーティグ、ディッピング、スピンコーティングなどの慣用のコーティング法によって行うことが出来る。用いられる有機溶媒としては一般にメタノール、エタノール、イソプロパノールなどのアルコール類；アセトン、メチルエチルケトン、シクロヘキサノンなどのケトン類；Ｎ，Ｎ−ジメチルホルムアミド、Ｎ，Ｎ−ジメチルアセトアミドなどのアミド類；ジメチルスルホキシドなどのスルホキシド類；テトラヒドロフラン、ジオキサン、ジエチルエーテル、エチレングリコールモノメチルエーテルなどのエーテル類；酢酸メチル、酢酸エチルなどのエステル類；クロロホルム、塩化メチレン、ジクロルエタン、四塩化炭素、トリクロルエタンなどの脂肪族ハロゲン化炭化水素類；ベンゼン、キシレン、モノクロルベンゼン、ジクロルベンゼンなどの芳香族類；メトキシエタノール、エトキシエタノールなどのセロソルブ類；ヘキサン、ペンタン、シクロヘキサン、メチルシクロヘキサンなどの炭化水素類などが挙げられる。
記録層の膜厚は１００Å〜１０μｍ、好ましくは２００〜２０００Åが適当である。
【００２９】
《下引き層》
下引き層は、（１）接着性の向上、（２）水又はガスなどのバリアー、（３）記録層の保存安定性の向上、（４）反射率の向上、（５）溶剤からの基板の保護、（６）案内溝、案内ピット、プレフォーマットの形成などの目的で設けられる。（１）の目的に対しては、アイオノマー樹脂、ポリアミド樹脂、ビニル樹脂、天然樹脂、天然高分子、シリコーン、液状ゴムなどの種々の高分子化合物、又はシランカップリング剤などを用いることができる。（２）及び（３）の目的に対しては、上記高分子材料以外に、ＳｉＯ、ＭｇＦ、ＳｉＯ２、ＴｉＯ、ＺｎＯ、ＴｉＮ、ＳｉＮなどの無機化合物を用いることができ、更に、Ｚｎ、Ｃｕ、Ｎｉ、Ｃｒ、Ｇｅ、Ｓｅ、Ａｕ、Ａｇ、Ａｌなどの金属又は半金属を用いることができる。（４）の目的に対しては、Ａｌ、Ａｕ、Ａｇ等の金属や、メチン染料、キサンテン系染料などからなる金属光沢を有する有機薄膜を用いることができる。（５）及び（６）の目的に対しては、紫外線硬化樹脂、熱硬化樹脂、熱可塑性樹脂などを用いることができる。
下引き層の膜厚としては、０．０１〜３０μｍ、好ましくは、０．０５〜１０μｍが適当である。
【００３０】
《反射層》
反射層の材料としては、Ａｕ、Ａｇ、Ｃｒ、Ｎｉ、Ａｌ、Ｆｅ、Ｓｎなどの単体で高反射率の得られる腐食され難い金属や半金属が挙げられるが、反射率や生産性の点からＡｕ、Ａｇ、Ａｌが特に好ましい。また、これらの金属や半金属は単独で使用しても２種以上の合金として使用しても良い。
膜形成法としては蒸着、スッパタリングなどが挙げられ、膜厚としては、５０〜５０００Å、好ましくは、１００〜３０００Åである。
【００３１】
《保護層、基板面ハードコート層》
保護層及び基板面ハードコート層は、（１）記録層（反射吸収層）の傷、ホコリ、汚れ等からの保護、（２）記録層（反射吸収層）の保存安定性の向上、（３）反射率の向上等を目的として使用される。これらの目的に対しては、前記下引き層と同じ材料を用いることができる。また、ポリメチルアクリレート樹脂、ポリカーボネート樹脂、エポキシ樹脂、ポリスチレン樹脂、ポリエステル樹脂、セルロース樹脂、脂肪族炭化水素樹脂、天然ゴム、スチレンブタジエン樹脂、クロロプレンゴム、ワックス、アルキッド樹脂、乾性油、ロジン等の熱軟化性、熱溶融性樹脂などの有機材料を用いることもできる。最も好ましいのは生産性に優れた紫外線硬化樹脂である。
保護層又は基板面ハードコート層の膜厚は、０．０１〜３０μｍ、好ましくは０．０５〜１０μｍである。
上記下引き層、保護層及び基板面ハードコート層には、記録層の場合と同様に安定剤、分散剤、難燃剤、滑剤、帯電防止剤、界面活性剤、可塑剤等を含有させることができる。
【００３２】
《保護基板》
保護基板は、保護基板側からレーザ光を照射する場合には、使用レーザ光に対して透明でなければならないが、単なる保護板として用いる場合には透明でなくてもよい。
使用可能な保護基板材料は前記基板材料と全く同じであり、ポリエステル樹脂、アクリル樹脂、ポリアミド樹脂、ポリカーボネート樹脂、ポリオレフィン樹脂、フェノール樹脂、エポキシ樹脂、ポリイミド樹脂などのプラスチック、又はガラス、セラミック、金属などを用いることができる。
《接着層》
接着層の材料としては、２枚の記録媒体を接着できる材料なら何でもよく、生産性を考慮すると、紫外線硬化型接着剤又はホットメルト型接着剤が好ましい。
【００３３】
次に本発明の記録再生装置について説明する。
大容量の情報を記録する装置として光ディスクが使用されているが、光ディスクは通常光ディスクドライブ（記録再生装置）によって記録再生される。ここで、光ディスクと光ディスクドライブの構成について概略を説明する。
ＤＶＤ−ＲＡＭ・ＷＯ、ＤＶＤ−Ｒ、ＤＶＤ＋Ｒ、及びＤＶＤ−ＲＡＭ、ＤＶＤ−ＲＷ、ＤＶＤ＋ＲＷディスクは、書き込みが可能な（記録可能な）ＤＶＤ（Ｄｉｇｉｔａｌ  Ｖｅｒｓａｔｉｌｅ  Ｄｉｓｃ）である。ＤＶＤ−ＲＡＭ・ＷＯ、ＤＶＤ−Ｒ、ＤＶＤ＋Ｒは、１回だけ書き込みが可能なＤＶＤである（なお、ＤＶＤ  Ｗｒｉｔｅ  Ｏｎｃｅとも言われている）。また、ＤＶＤ−ＲＡＭ、ＤＶＤ−ＲＷ、ＤＶＤ＋ＲＷは、複数回の書き込みが可能なＤＶＤである。これらのＤＶＤ＋ＲやＤＶＤ＋ＲＷディスク等の光ディスクは、次の図１１のようなドライブによって情報の記録再生が行われる。
【００３４】
図１１は、光ディスクドライブについて、その要部構成の一例を示す機能ブロック図である。図において、１１は光ディスク、１２はスピンドルモータ、１３は光ピックアップ、１４はモータドライバ、１５はリードアンプ、１６はサーボ手段、１７はＤＶＤデコーダ、１８はＡＤＩＰデコーダ、１９はレーザコントローラ、２０はＤＶＤエンコーダ、２１はＤＶＤ−ＲＯＭエンコーダ、２２はバッファＲＡＭ、２３はバッファマネージャ、２４はＤＶＤ−ＲＯＭデコーダ、２５はＡＴＡＰＩ／ＳＣＳＩインターフェース、２６はＤ／Ａコンバータ、２７はＲＯＭ、２８はＣＰＵ、２９はＲＡＭを示し、ＬＢはレーザ光、Ａｕｄｉｏはオーディオ出力信号を示す。
【００３５】
この図１１において、矢印はデータが主に流れる方向を示しており、また、図を簡略化するために、図１１の各ブロックを制御するＣＰＵ２８には、太線のみを付けて各ブロックとの接続を省略している。ＲＯＭ２７には、ＣＰＵ２８にて解読可能なコードで記述された制御プログラムが格納されている。なお、光ディスクドライブの電源がオン状態になると、前記プログラムはメインメモリ（図示せず）にロードされ、前記ＣＰＵ２８はそのプログラムに従って上記各部の動作を制御すると共に、制御に必要なデータ等を一時的にＲＡＭ２９に保存する。
光ディスクドライブの構成と動作は、次の通りである。光ディスク１１は、スピンドルモータ１２によって回転駆動される。このスピンドルモータ１２は、モータドライバ１４とサーボ手段１６により、線速度又は角速度が一定になるように制御される。この線速度又は角速度は、階段的に変更することが可能である。
【００３６】
光ピックアップ１３は、図示されない半導体レーザ、光学系、フォーカスアクチュエータ、トラックアクチュエータ、受光素子及びポジションセンサを内蔵しており、レーザ光ＬＢを光ディスク１１に照射する。また、この光ピックアップ１３は、シークモータによってスレッジ方向への移動が可能である。これらのフォーカスアクチュエータ、トラックアクチュエータ、シークモータは、受光素子とポジションセンサから得られる信号に基づいて、モータドライバ１４とサーボ手段１６により、レーザ光ＬＢのスポットが光ディスク１１上の目的の場所に位置するように制御される。
そして、リード時には、光ピックアップ１３によって得られた再生信号が、リードアンプ１５で増幅されて２値化された後、ＤＶＤデコーダ１７に入力される。入力された２値化データは、このＤＶＤデコーダ１７において、８／１６復調される。なお、記録データは、８ビットずつ纏められて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００３７】
復調されたデータは、デインターリーブとエラー訂正の処理が行われる。その後、このデータは、ＤＶＤ−ＲＯＭデコーダ２４へ入力され、データの信頼性を高めるために更にエラー訂正の処理が行われる。このように２回のエラー訂正の処理が行われたデータは、バッファマネージャ２３によって一旦バッファＲＡＭ２２に蓄えられ、セクタデータとして揃った状態で、ＡＴＡＰＩ／ＳＣＳＩインターフェース２５を介して、図示しないホストコンピュータへ一気に転送される。なお、音楽データの場合には、ＤＶＤデコーダ１７から出力されたデータが、Ｄ／Ａコンバータ２６へ入力され、アナログのオーディオ出力信号Ａｕｄｉｏとして取り出される。
また、ライト時には、ＡＴＡＰＩ／ＳＣＳＩインターフェース２５を通して、ホストコンピュータから送られてきたデータは、バッファマネージャ２３によって一旦バッファＲＡＭ２２に蓄えられる。その後，ライト動作が開始されるが、この場合には、その前にレーザスポットを書き込み開始地点に位置させる必要がある。この地点は、ＤＶＤ＋ＲＷ／＋Ｒでは、予め光ディスク１１上にトラックの蛇行により刻まれているウォブル信号によって求められる。
【００３８】
なお、上記地点はＤＶＤ−ＲＷ／−Ｒではウォブル信号の代わりにランドプリピット、ＤＶＤ−ＲＡＭ／ＲＡＭ・ＷＯではプリピットによって求められる。
ＤＶＤ＋ＲＷ／＋Ｒディスクにおけるウォブル信号には、ＡＤＩＰ（ＡＤｒｅｓｓ  Ｉｎ  Ｐｒｅ−ｇｒｏｏｖｅ）と呼ばれるアドレス情報が含まれており、この情報が、ＡＤＩＰデコーダ１８によって取り出される。また、このＡＤＩＰデコーダ１８によって生成される同期信号は、ＤＶＤエンコーダ２０へ入力され、光ディスク１１上の正確な位置へのデータの書き込みを可能にしている。バッファＲＡＭ２２のデータは、ＤＶＤ−ＲＯＭエンコーダ２１やＤＶＤエンコーダ２０において、エラー訂正コードの付加や、インターリーブが行われ、レーザコントローラ１９、光ピックアップ１３を介して、本発明の記録パワーと記録波形により光ディスク１１に記録される。
【００３９】
本発明９の記録再生装置は、基板の案内溝にウォブルを有し、ＣＬＶ最高線速記録条件と最高線速以外のＣＬＶ線速記録条件が予めコード化して記録されている色素系追記型ＤＶＤ媒体の記録再生を実施するに当り、最内周では、最高線速以外のＣＬＶ線速条件で記録を始め、最高線速での回転が可能になる半径位置から最高線速での記録に切り替える際に、一旦、最外周のパワーキャリブレーションエリアで試し書きを行って最適化した最高線速での最適記録パワーＰｏと、予め媒体にコード化して記録されている最高線速での最適記録パワーＰｉとを比較し、Ｐｏ＞Ｐｉの場合には、式「（Ｐｏ＋Ｐｉ）／２＋（Ｐｏ−Ｐｉ）２／Ｐｉ」で求められる記録パワーを最高線速での記録開始記録パワーとし、Ｐｏ≦Ｐｉの場合には、Ｐｉを最高線速での記録開始記録パワーとする機能を有するので高線速での高品質記録が実現可能である。
【００４０】
また、最短長マークは常にパワーＷ０の１つのパルス光で記録し、２番目に短いマークは、パワーＷ０、或いはＷ０よりも低いパワーＷ１、或いはＷ１よりも低いパワーＷ２をベースとしパルス前端部及び／又は後端部が一定時間パワーＷ０又はＷ１に高出力化された１つのパルス光で記録し、短い方から３番目以降のマークは、パワーＷ２をベースとしパルス前端部及び／又は後端部が一定時間パワーＷ０又はＷ１に高出力化された１つのパルス光で記録すると共に、マーク記録時に、全てのマークの上記パルスの後端部以降にクーリングパルスを照射し、その照射光量を一定時間０．１ｍＷ以下にする機能を有するので高線速での記録品質を一層向上させることができる。
本発明１０の記録再生装置は、パルス後端部以降のクーリングパルスを照射する時間を再短長スペースの１／６〜６／６の長さとする機能を有するので、より好ましいクーリングパルス範囲を採用することにより、記録品質を更に向上させることが可能である。
【００４１】
更に、本発明１１の記録再生装置は、直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定し、かつ、最短長マークを形成する記録パルスの加熱パルス幅を、該最短長マークの直前のスペース長が最短長であるか否かで区別し、直前のスペース長が最短であるマークの加熱パルス幅を、直前のスペース長が最短でないマークの加熱パルス幅よりも短く設定する機能を有するので、高品質な記録、即ち低ジッタ化が実現できる。
また、アドレス情報を得る方式は、ランドプリピットやプリピットからアドレス情報を得る方式であっても良い。
【００４２】
図１２は、図１１に示す光ディスクドライブを使用した情報処理装置の概略図である。
情報処理装置は、主制御装置、インターフェース、記録装置、入力装置及び表示装置などを備えている。
主制御装置は、ＣＰＵ（中央処理装置、マイクロコンピュータ）、メインメモリ（何れも図示せず）などを含んで構成され、ホストコンピューターの全体を制御する。
インターフェースは、光ディスクドライブとの双方向の通信インターフェースであり、ＡＴＡＰＩ及びＳＣＳＩ等の標準インターフェースに準拠している。インターフェースは前述した光ディスクドライブのインターフェース２５と接続されている。なお、各インターフェース間の接続形態は、通信ケーブル（例えばＳＣＳＩケーブル）などの通信線を用いたケーブル接続だけでなく、赤外線などを利用したワイヤレス接続であっても良い。
【００４３】
記録装置（ＨＤＤ、ハードディスク）には、主制御装置のマイクロコンピュータで解読可能なコードで記述されたプログラムが格納されている。なお、情報処理装置の駆動電源がオン状態になると、上記プログラムは主制御装置のメインメモリにロードされる。
表示装置は、例えばＣＲＴ、液晶ディスプレイ（ＬＣＤ）、プラズマディスプレイパネル（ＰＤＰ）などの表示部（図示省略）を備え、制御装置からの各種情報を表示する。
入力装置は、例えばキーボード、マウス、ポインティングデバイスなどのうち少なくとも１つの入力媒体（図示省略）を備え、ユーザから入力された各種情報を主制御装置に通知する。なお、入力媒体からの情報はワイヤレス方式で入力されても良い。また、表示装置と入力装置とが一体化したものとして、例えばタッチパネル付きＣＲＴなどがある。また、情報処理装置はオペレーティングシステム（ＯＳ）を搭載している。そして、情報処理装置を構成する全てのデバイスはＯＳによって管理されているものとする。
【発明の効果】
【００４４】
本発明によれば、簡易な記録パワー制御法を用いて最高線速記録時の記録パワー最適化を精度良く実施でき、記録線速切り替え時の記録品質を良好にすることができる。また、本発明で規定する書き込み波形を用いれば、特に高線速側で低ジッタ、低エラー率な記録が可能となる。更に、ＤＶＤ−Ｒで用いているランドプリピットフォーマットよりも簡単に製造可能な高周波ウオブルフォーマットで、データ部の書き足しを効率良く実施でき、しかも、現在大量に製造されているＣＤ−Ｒ、ＤＣ−ＲＷとほぼ同一フォーマットの記録媒体の提供が可能となる。
【実施例】
【００４５】
以下、実施例及び比較例により本発明を更に具体的に説明するが、本発明は、これらの実施例により限定されるものではない。
【００４６】
実施例１〜９、比較例１〜３
溝深さ１６６０Å、半値幅０．３８μｍ、トラックピッチ０．７４μｍ、ウォブル周波数３２Ｔ相当を有する厚さ０．６ｍｍ、外径１２０ｍｍの射出成形ポリカーボネート基板上に、下記〔化１〕と〔化２〕の色素化合物を重量比で６５：３５秤量し、２，２，３，３−テトラフルオル−１−プロパノールに溶解してスピンナー塗布し、厚さ９００Åの有機色素層を形成した後、８５℃で３０分間乾燥した。
次いで、スパッタ法により厚さ１１００ÅのＡｇの反射層を設け、更にその上にアクリル系フォトポリマーからなる厚さ５μｍの保護層を設けた後、厚さ０．６ｍｍ、外径１２０ｍｍの射出成形ポリカーボネート平板基板をアクリル系フォトポリマーにより接着して光記録媒体を得た。
【化１】
2005243208.tif 000004
【化２】
2005243208.tif 000005
【００４７】
上記光記録媒体に対し、発振波長６５８ｎｍ、ビーム径０．９μｍの半導体レーザ光を用い、トラッキングしながらＥＦＭ信号（最小ピット長約０．４ミクロン）を、図５の記録波形、記録線速２８ｍ／ｓ、Ｗ１／Ｗ２＝１．４８、Ｗ０／Ｗ１＝１．０４、クーリングパワー０ｍＷ、クーリングパルス長２Ｔの条件で、ディスク半径位置３９ｍｍから最適記録パワーを切り替えて記録し、ジッタを測定した。
また、発振波長を６６５ｎｍに変え、最適記録パワーの切り替え半径位置を４０ｍｍに変えた点以外は、上記と同じ条件で記録し、ジッタを測定した。
更に、発振波長を６６５ｎｍに変え、最適記録パワーの切り替え半径位置を５８ｍｍに変えた点以外は、上記と同じ条件で記録し、ジッタを測定した。
測定結果を図１０に示す。
図１０の６５８ｎｍ、半径位置３９ｍｍでの最適記録パワー２４ｍＷは、基板にコード化して記録されているパワー（Ｐｉ）に相当する。
また、６６５ｎｍ、５８ｍＷの最適記録パワー２９ｍＷは、ＬＤが長波長化した状態での最外周パワーキャリブレーションエリアで算出したパワー（Ｐｏ）に相当する。（ドライブの庫内温度が上昇し、ＬＤが長波長化して最適記録パワーが増加するケースを想定して条件設定したものである。）
また、６６５ｎｍ、半径位置４０ｍｍ（中周）の最適記録パワー２７．７ｍＷは、最高記録線速の切り替え位置での実際の最適パワー（Ｐｒ）に相当する。
一方、本発明の式「（Ｐｏ＋Ｐｉ）／２＋（Ｐｏ−Ｐｉ）２／Ｐｉ」に上記Ｐｏ、Ｐｉの値を代入すると２７．５ｍＷとなり、上記Ｐｒ２７．７ｍＷと略等しい結果となるから、本発明が最適記録パワーの制御に極めて有効であることが分る。
【００４８】
また上記光記録媒体に対し、発振波長６６０ｎｍ、ビーム径０．９μｍの半導体レーザ光を用い、トラッキングしながらＥＦＭ信号（最小ピット長約０．４ミクロン）を、下記表２に示す記録条件と記録線速でＢｏｔｔｏｍ  Ｊｉｔｔｅｒ（ボトム・ジッタ）が極小となるような記録パワーで記録し、その個所を再生してジッタ値、アシンメトリ、ＰＩエラー数を求めた。なお、記録レーザ光の波形は図４〜図９に示す通りである。また、Ｗ０は最短長マークのパルスパワー、又は最短長マーク以外のマークの高出力化したパワー、Ｗ１は、最短長マーク以外のマークの、上乗せパワーを加えて高出力化したパワー、Ｗ２は、最短長マーク以外のマークのベースパワー（上乗せ無しパワー）である。
更に、記録線速２１ｍ／ｓと２８ｍ／ｓのパルス長は、図４〜図９に示すパルス長を用いたが、本発明はこれに限定されるわけではない。
結果を表２に示すが、ジッタ、アシンメトリ、ＰＩエラー共に良好であった。
【００４９】
【表２】
2005243208.tif 000006
【００５０】
また上記光記録媒体に対し、発振波長６６０ｎｍ、ビーム径０．９μｍの半導体レーザ光を用い、トラッキングしながらＥＦＭ信号（最小ピット長約０．４ミクロン）を、下記表３に示す記録条件と記録線速で且つ表１補正ありの条件下、ボトム・ジッタが極小となるような記録パワーで記録し、その個所を再生してジッタ値、アシンメトリ、ＰＩエラー数を求めた。
なお、比較例１〜３では、ＤＶＤ−Ｒで実施されているＬＰＰフォーマットのＬＰＰｂの大きさを振った（変化させた）試作条件スタンパと成形基板を用いて、実施例と同様の作成条件で光記録媒体を作成し、実施例と同様の評価を行った。
【表３】
2005243208.tif 000007
上記表３から分るように、ＬＰＰフォーマットのサンプルでは、比較例２〜３のようにＬＰＰｂが大きくなると、ジッタが良好であってもＰＩエラーが増加してしまう。また、比較例１のように、ジッタ、アシンメトリ、ＰＩエラーに問題がなくても、ＬＰＰｂが０．１６を下回るレベルであると、実用されている装置でのアドレス検出が不可能となってしまうことが確認された。
【００５１】
ＯＰＣは実際に用いるドライブでの光記録媒体の最適記録パワーを求めるものである。具体的にはＯＰＣエリア（通常は最内周）で記録パワーを振って（変化させて）少量のデータを試し記録し、該パワーを振った試し記録波形のアシンメトリ、β又はジッタで当該媒体のアシンメトリ、βの最適値又はジッタが極小になるパワーを求める。ＣＤ−ＲやＤＶＤ±Ｒでは、通常の場合、アシンメトリ、β共に０（ゼロ）付近が良好であるが、低速記録ではプラス側へ、高速記録ではマイナス側にシフトすることが分っている。
本実施例ではＯＰＣの最適記録パワー算出をジッタが極小になるパワーで求める方法を用いた。また、本実施例では実際に用いるドライブで想定される条件を実験的に再現して記録再生を行った。
本実施例では、半径位置４０ｍｍ付近で記録線速を２１ｍ／ｓから２８ｍ／ｓに切り替える場合を想定した。２１ｍ／ｓでの記録は従来技術を使えば可能である。即ち、２１ｍ／ｓの記録では最内周ＯＰＣエリアでＯＰＣを実施して最適記録パワーを求め、該最適記録パワーで内周ユーザーエリアから記録し始めたとして、ランニングＯＰＣで４０ｍｍ付近までは記録品質の高い記録が可能である。一方、２８ｍ／ｓの回転数を最内周で実施することは高価なスピンドルモーターや制御装置を使用しない限り、回転が不可能であるため現実性がない。そこで、４０ｍｍ付近から２８ｍ／ｓで記録し始める際の最適記録パワーは、予め記録媒体の基板にコード化して記録された２８ｍ／ｓでの最適記録パワーのみが参考値となる。
【００５２】
ところが、これまで述べてきたように実際のドライブ記録を考えると４０ｍｍ付近まで２１ｍ／ｓで連続記録を実施してきており、ドライブ庫内は温度上昇し、記録ＬＤは長波長化している。ＬＤの長波長化は０．６ｎｍ／℃程度であり、庫内温度が１０℃上昇すれば６ｎｍのＬＤシフトとなる。予め記録媒体の基板にコード化して記録された２８ｍ／ｓでの最適記録パワーには、このＬＤの長波長化は加味されていない。従って、本実施例の条件設定では２１ｍ／ｓでの連続記録を実施した結果、ドライブ庫内温度が１０℃強上昇した場合を想定した。即ち、記録波長６５８ｎｍ（ＤＶＤ媒体記録における試験条件波長）、記録線速２８ｍ／ｓで半径位置３９ｍｍ（４０ｍｍ付近）での記録パワーを振って記録再生し、極小となるジッタが得られる記録パワーは記録媒体にコード化して記録されたＰｉである。
一方、記録波長６６５ｎｍ（７ｎｍ長波長化）、記録線速２８ｍ／ｓで半径位置４０ｍｍでの記録パワーを振って記録再生し、極小となるジッタが得られる記録パワーは、ドライブが約１０℃上昇したという想定における４０ｍｍでの実際の最適記録パワーＰｒとなる。しかし、ユーザーエリアである４０ｍｍ付近でのＯＰＣ（試し書き）は実際のシステムでは不可能である。そこで、Ｐｒを精度良く算出するために、記録波長６６５ｎｍ、記録線速２８ｍ／ｓで半径位置５８ｍｍ（最外周、ユーザー使用領域外）での記録パワーを振って記録再生し極小となるジッタが得られるパワーがＰｏである（最外周ユーザー領域外でのＯＰＣを実施したものと同一である。）。
また、本実施例では１０℃上昇する場合を想定したが、温度上昇が５℃や１５℃となっても本発明は有効である。
【図面の簡単な説明】
【００５３】
【図１】（ａ）〜（ｄ）  通常の追記型光記録媒体の層構成例を示す図。
【図２】（ａ）〜（ｃ）  通常のＣＤ−Ｒ媒体の層構成例を示す図。
【図３】（ａ）〜（ｃ）  色素系追記型ＤＶＤ媒体の層構成例を示す図。
【図４】記録線速２８ｍ／ｓ用の本発明２、３に係るパワー制御波形例１を示す図。
【図５】記録線速２８ｍ／ｓ用の本発明２、３に係るパワー制御波形例２を示す図。
【図６】記録線速２８ｍ／ｓ用の本発明２、３に係るパワー制御波形例３を示す図。
【図７】記録線速２８ｍ／ｓ用の本発明２、３に係るパワー制御波形例４を示す図。
【図８】記録線速２１ｍ／ｓ用の本発明２、３に係るパワー制御波形例５を示す図。
【図９】記録線速２１ｍ／ｓ用の本発明２、３に係るパワー制御波形例６を示す図。
【図１０】各半径位置での記録パワーとジッタの関係を示す図。
【図１１】光ディスクドライブの要部構成の一例を示す機能ブロック図。
【図１２】図１１に示す光ディスクドライブを使用した情報処理装置の概略図。
【符号の説明】
【００５４】
１  基板
２  記録層
３  下引き層
４  保護層
５  ハードコート層
６  反射層
７  保護基板
８  接着層
ｓｐａｃｅ  スペース
ｍａｒｋ  マーク
Ｃｏｏｌｉｎｇ  Ａｒｅａ  クーリング領域
Ｔ  基本クロック周期
ｎ  ３以上の整数
ｎ′  ３以上の整数
ｐｓ  直前のスペース長
ｃｍ  記録マーク長
Ｗ０  最短長マークの記録パワー、最短長マーク以外のマークの高出力化したパワー
Ｗ１  最短長マーク以外のマークの、上乗せパワーを加えて高出力化したパワー
Ｗ２  最短長マーク以外のマークのベースパワー（上乗せ無しパワー）
【図１】
2005243208.tif 000008
【図２】
2005243208.tif 000009
【図３】
2005243208.tif 000010
【図４】
2005243208.tif 000011
【図５】
2005243208.tif 000012
【図６】
2005243208.tif 000013
【図７】
2005243208.tif 000014
【図８】
2005243208.tif 000015
【図９】
2005243208.tif 000016
【図１０】
2005243208.tif 000017
【図１１】
2005243208.tif 000018
【図１２】
2005243208.tif 000019